(57)【要約】【課題】  着用者との間に隙間が生じることがなく、隙間からの尿等の漏れを抑制することができる着用物品を提供する。【解決手段】  おむつ１はシャーシ２０と、ウエスト紐４０とを含む。一対のウエスト紐４０は、シャーシ側縁２３，２４にそれぞれ位置し、横方向Ｘに離間して形成されるとともに、横方向Ｘの内側に位置する第１紐部４１と、外側に位置する第２紐部４２とを含む。第１および第２紐部４１，４２は、外面シート２２を内側切断線４３および外側切断線４４で切断することによって形成されている。内側切断線４３は、シャーシ後端縁２６から後端４３ｂまでの離間距離が、外側切断線４４のシャーシ後端縁２６から後端４４ｂまでのそれよりも長くなっている。前ウエスト域５の外面シート２２には、第１および第２紐部４１，４２を通すための第１および第２紐保持部５１，５２を形成している。【選択図】図１
2010051600.tif 000002
【特許請求の範囲】
【請求項１】
縦方向および横方向と、身体側および着衣側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、少なくとも前記クロッチ域に形成された吸液構造体と、前記第１ウエスト域に形成され前記第２ウエスト域を身体側に締め付け可能なウエスト紐とを含む着用物品において、
前記シャーシは、前記縦方向に延びる両側縁と、前記横方向に延びるとともに前記第１ウエスト域に位置する第１端縁および前記第２ウエスト域に位置する第２端縁とを含み、
前記ウエスト紐は、前記両側縁の各々に位置する複数の紐部によって形成され、前記第１ウエスト域に接続する基端縁と、前記基端縁の反対側に位置する自由端縁とを含み、
前記複数の紐部は、前記基端縁での接続位置が前記縦方向に並んで形成されることを特徴とする前記着用物品。
【請求項２】
前記紐部は、前記両側縁に沿って前記縦方向に延びる切断線によって前記シャーシを切断することにより形成され、
前記切断線は、前記横方向に離間して複数形成され、前記横方向内側に位置する切断線は、その外側に位置する切断線よりも、前記第１端縁からの離間距離が長い請求項１記載の着用物品。
【請求項３】
複数の前記紐部は、前記自由端縁で一体化される請求項１または２記載の着用物品。
【請求項４】
複数の前記紐部は、少なくともいずれかひとつが長手方向に伸縮可能に弾性化される請求項１〜３のいずれかに記載の着用物品。
【請求項５】
前記ウエスト紐は、前記両側縁に沿って一対形成され、
前記第２ウエスト域の前記着衣側には、一方の前記ウエスト紐を保持可能な第１紐保持部と、他方の前記ウエスト紐を保持可能な第２紐保持部とが形成され、前記第１紐保持部と第２紐保持部とは、前記横方向の長さ寸法を二等分する縦中心線を介して前記横方向に対向して形成される請求項１〜４のいずれかに記載の着用物品。
【請求項６】
前記ウエスト紐は、前記基端縁および前記自由端縁において非弾性化される請求項１〜５のいずれかに記載の着用物品。
【請求項７】
前記ウエスト紐は、前記自由端縁に少なくともその一部が硬化された硬化部が形成される請求項１〜６のいずれかに記載の着用物品。
【請求項８】
前記シャーシは、前記両側縁において前記縦方向に伸縮可能に弾性化される請求項１〜７のいずれかに記載の着用物品。
【発明の詳細な説明】
【技術分野】
【０００１】
この発明は、着用物品に関し、さらに詳しくは使い捨てのおむつ、排便トレーニングパンツ、失禁ブリーフ等に取り付け可能な着用物品に関する。
【０００２】
従来、紙おむつのおむつ本体を背側から股下を通って腹側へとあてがい、このおむつ本体を着用者の身体に紐で結んで固定させるいわゆる「越中ふんどし」のようなタイプのものとして、例えば、特開２００７−２８３００７号公報（特許文献１）が公知である。この特許文献１において、紐は、おむつ本体の両側に沿って切断して形成される。切断線は、一端から他端近傍まで形成され、他端では、完全に切断されることがない。したがって、紐は他端でおむつ本体に接続されたまま形成される。
【特許文献１】特開２００７−２８３００７号公報
【発明の開示】
【発明が解決しようとする課題】
【０００３】
着用者が歩いたりして腰回りを動かしたときや、排尿等によって股下部分が重くなったときには、おむつ本体が股下側に向かって下がるようにずれてしまうことがある。おむつがずれると着用者の脚回りとの間、特におむつと着用者の鼠蹊部の間に隙間ができ、この隙間から尿等が漏れるという問題があった。
【０００４】
この発明では、着用者との間に隙間が生じることがなく、隙間からの尿等の漏れを抑制することができる着用物品を提供することを課題とする。
【課題を解決するための手段】
【０００５】
この発明は、縦方向および横方向と、身体側および着衣側と、前ウエスト域および後ウエスト域の一方である第１ウエスト域、ならびに前記前ウエスト域および後ウエスト域の他方である第２ウエスト域と、前記第１および第２ウエスト域間に位置するクロッチ域とを含むシャーシと、少なくとも前記クロッチ域に形成された吸液構造体と、前記第１ウエスト域に形成され前記第２ウエスト域を身体側に締め付け可能なウエスト紐とを含む着用物品の改良に関わる。
【０００６】
この発明は前記着用物品において、前記シャーシは、前記縦方向に延びる両側縁と、前記横方向に延びるとともに前記第１ウエスト域に位置する第１端縁および前記第２ウエスト域に位置する第２端縁とを含み、前記ウエスト紐は、前記両側縁の各々に位置する複数の紐部によって形成され、前記第１ウエスト域に接続する基端縁と、前記基端縁の反対側に位置する自由端縁とを含み、前記複数の紐部は、前記基端縁での接続位置が前記縦方向に並んで形成されることを特徴とする。
複数の紐部の接続位置が縦方向に並ぶとは、着用物品着用時において、縦方向上下に位置することを言い、紐部が互いに隣接する態様、および、離間する態様のいずれをも含む。
【０００７】
好ましい実施態様のひとつとして、前記紐部は、前記両側縁に沿って前記縦方向に延びる切断線によって前記シャーシを切断することにより形成され、前記切断線は、前記横方向に離間して複数形成され、前記横方向内側に位置する切断線は、その外側に位置する切断線よりも、前記第１端縁からの離間距離が長い。
【０００８】
好ましい他の実施態様のひとつとして、複数の前記紐部は、前記自由端縁で一体化される。
【０００９】
好ましい他の実施態様のひとつとして、複数の前記紐部は、少なくともいずれかひとつが長手方向に伸縮可能に弾性化される。
【００１０】
好ましい他の実施態様のひとつとして、前記ウエスト紐は、前記両側縁に沿って一対形成され、前記第２ウエスト域の前記着衣側には、一方の前記ウエスト紐を保持可能な第１紐保持部と、他方の前記ウエスト紐を保持可能な第２紐保持部とが形成され、前記第１紐保持部と第２紐保持部とは、前記横方向の長さ寸法を二等分する縦中心線を介して前記横方向に対向して形成される。
【００１１】
好ましい他の実施態様のひとつとして、前記ウエスト紐は、前記基端縁および前記自由端縁において非弾性化される。
【００１２】
好ましい他の実施態様のひとつとして、前記ウエスト紐は、前記自由端縁に少なくともその一部が硬化された硬化部が形成される。
【００１３】
好ましい他の実施態様のひとつとして、前記シャーシは、前記両側縁において前記縦方向に伸縮可能に弾性化される。
【発明の効果】
【００１４】
着用物品の第１ウエスト域には、第２ウエスト域を身体側に締め付け可能なウエスト紐を形成し、このウエスト紐は、両側縁の各々に位置する複数の紐部によって形成されることとしている。紐部によって着用物品を身体側に締め付けることによって、着用物品が縦方向に移動するのを抑制することができ、排尿等によってクロッチ域が重たくなったような場合であっても、着用物品がクロッチ域側へと下がるのを防止することができる。着用物品が縦方向に下がるのを抑制することができるので、着用者の鼠蹊部と着用物品とに隙間が生じるのを防止することができ、この隙間からの尿等の漏れを抑制することができる。また、第１ウエスト域に位置する基端縁では、複数の紐部が縦方向上下に並んで接続されているので、前後ウエスト域の縦方向の広い領域で、着用物品を着用者に対して密着させることができ、より一層着用物品が縦方向に下がるのを抑制することができるとともに、ウエスト開口からの尿等の漏れを抑制することもできる。
【発明を実施するための最良の形態】
【００１５】
着用物品として使い捨ておむつを用い、この発明の一例を説明する。
【００１６】
＜第１の実施形態＞
図１はおむつ１の着用状態を示した斜視図、図２はおむつ１を展開した状態の平面図であって、身体側から見たときの図、図３は図２のＩＩＩ−ＩＩＩ線断面図である。図２および３では、説明のためおむつ１に皺が発生しない状態すなわち弾性部材を収縮させない状態を示している。おむつ１は、着用者の腹側から背側に向かう縦方向Ｙと、縦方向Ｙに直交する横方向Ｘとを含み、横方向Ｘの寸法を二等分する縦中心線Ｐ−Ｐと、縦方向Ｙの寸法を二等分する横中心線Ｑ−Ｑとを含む。おむつ１はシャーシ２０と、吸液構造体３０と、ウエスト紐４０とを含む。シャーシ２０は、縦方向Ｙの前後に位置する前ウエスト域５、後ウエスト域６、これらウエスト域５，６の間に位置するクロッチ域７とを含み、後ウエスト域６を第１ウエスト域、前ウエスト域５を第２ウエスト域としている。
【００１７】
シャーシ２０は、身体側に位置し透液性を有する内面シート２１と、着衣側に位置し不透液性を有する外面シート２２とを含み、これら内外面シート２１，２２は縦方向Ｙに延びる略矩形を有し、縦方向Ｙと横方向Ｘとに関して外面シート２２よりも内面シート２１が小さく、外面シート２２の前後端縁および両側縁が内面シート２１の縦方向Ｙおよび横方向Ｘ外側に延出している。このようなシャーシ２０は、外面シート２２によって縦方向Ｙに延びるシャーシ側縁２３，２４と、横方向Ｘに延びるシャーシ前後端縁２５，２６を形成している。この発明の第１端縁がシャーシ後端縁２６に相当し、第２端縁がシャーシ前端縁２５に相当する。
【００１８】
図２，３に示したように、内外面シート２１，２２の間には、吸液構造体３０が形成されている。吸液構造体３０は、フラッフパルプ等によって形成される吸液性芯材３１と、吸液性芯材３１を覆うティッシュペーパ等の液拡散シート３２と、液拡散シート３２と外面シート２２との間に配置されシャーシ２０への尿等の漏れを防止するための漏れ防止シート３３とを含む。吸液構造体３０は、少なくともクロッチ域７に位置し、クロッチ域７から前後ウエスト域５，６へと縦方向Ｙに延びている。吸液構造体３０は、横中心線Ｑ−Ｑ近傍において、縦中心線Ｐ−Ｐに向かって湾曲し、この湾曲部分を着用者の鼠蹊部に位置させることによって、おむつ１が着用者の脚回りに密着可能としている。吸液構造体３０は、縦方向Ｙに延びる吸液側縁３４，３５と、横方向Ｘに延びる吸液前後端縁３６，３７とを含む。これら吸液両側縁３４，３５および吸液前後端縁３６，３７から、内面シート２１の両側縁および前後端縁が延出し、吸液構造体３０が内面シート２１で覆われる構成にしている。
【００１９】
一対のウエスト紐４０は、シャーシ側縁２３，２４にそれぞれ位置し、横方向Ｘに離間して形成されるとともに、横方向Ｘの内側に位置する第１紐部４１と、外側に位置する第２紐部４２とを含む。第１および第２紐部４１，４２は、外面シート２２の一部によって形成されている。すなわち、外面シート２２は、一枚の繊維不織布から形成され、その横方向Ｘの両端部を、折返し線２８に沿って身体側に向かって折り返し、折返し部２９を形成している。これら折返し部２９には、縦方向Ｙに延びるとともに横方向Ｘに離間する内外側切断線４３，４４を形成し、これら内外側切断線４３，４４で外面シート２２および折返し部２９を切断することによって第１および第２紐部４１，４２を形成している。
【００２０】
内側切断線４３は、前端４３ａがシャーシ前端縁２５に接触し、後端４３ｂがシャーシ後端縁２６とは離間している。外側切断線４４は、前後端４４ａ，４４ｂのいずれもがシャーシ前後端縁２５，２６と離間している。すなわち、第１および第２紐部４１，４２は、後ウエスト域６でシャーシ２０と接続して基端縁４５を形成し、その反対側で内側切断線４３によってシャーシ２０とは切り離され、自由端縁４６を形成している。このような第１および第２紐部４１，４２は、基端縁４５および自由端縁４６では、切断されることなく、一体化されている。
【００２１】
内側切断線４３は、シャーシ後端縁２６から後端４３ｂまでの離間距離が、外側切断線４４のシャーシ後端縁２６から後端４４ｂまでのそれよりも長くなっている。言い換えれば、外側切断線４４の方がシャーシ後端縁２６側に深い切込みを有している。後端４３ｂおよび後端４４ｂは、いずれも吸液後端縁３７とシャーシ後端縁２６との間に位置するように形成される。
折返し線２８から外側切断線４４までの横方向Ｘの長さ寸法と、内外側切断線４３，４４の間の横方向Ｘの長さ寸法とがほぼ等しく、これによって第１および第２紐部４１，４２の横方向Ｘの長さ寸法がほぼ等しくなっている。
【００２２】
第１および第２紐部４１，４２には、これらを伸縮可能に弾性化する第１および第２紐弾性部材４７，４８を縦方向Ｙに伸長状態で取り付けている。第１および第２紐弾性部材４７，４８は、第１および第２紐部４１，４２に対してそれぞれその両側に２本ずつ配置され、折返し部２９と外面シート２２との少なくともいずれか一方に接合される。第１および第２紐部４１，４２は、基端縁４５および自由端縁４６では弾性化されないように、第２紐弾性部材４７，４８は、それら基端縁４５および自由端縁４６を除く部分において取り付けられている。
【００２３】
内側切断線４３よりも横方向Ｘの内側であって、吸液側縁３４，３５との間には、レッグ弾性部材２７を縦方向Ｙに伸長状態で取り付け、シャーシ２０のシャーシ側縁２３，２４を伸縮可能に弾性化している。レッグ弾性部材２７は、折返し部２９と外面シート２２との間に取り付けられ、それら少なくともいずれか一方に接合される。レッグ弾性部材２７は、少なくともクロッチ域７に位置し、この実施形態では、クロッチ域７から前後ウエスト域５，６へと縦方向Ｙに延びている。
【００２４】
前ウエスト域５の外面シート２２には、第１および第２紐部４１，４２を通すための第１および第２紐保持部５１，５２を形成している。具体的には、第１紐保持部５１は、縦方向Ｙに延びる一対のスリット５３によって形成され、第２紐保持部５２は、縦方向Ｙに延びる一対のスリット５４によって形成されている。スリット５３，５４は、外面シート２２を厚さ方向に貫通し、その縦方向Ｙの長さ寸法は、第１および第２紐部４１，４２の横方向Ｘの長さ寸法の和、すなわちウエスト紐４０全体の横方向Ｘの長さ寸法よりも大きくしている。第１および第２紐保持部５１，５２は、縦中心線Ｐ−Ｐを介して横方向Ｘに対向し、縦中心線Ｐ−Ｐからほぼ等しい距離に離間している。第１および第２紐保持部５１，５２は、吸液構造体３０と重なる位置に形成されている。
【００２５】
上記のようなおむつ１を着用者に着用させるには、シャーシ２０の後ウエスト域６を着用者の背中および臀に、クロッチ域７が股に、前ウエスト域５が腹に位置するように、このシャーシ２０を着用者にあてがう。シャーシ２０を着用者にあてがったら、一対のウエスト紐４０を前ウエスト域５の着衣側へとそれぞれ回し、これらウエスト紐４０を互いに結んで、シャーシ２０を着用者に固定させる。このとき、ウエスト紐４０は、第１および第２紐保持部５１，５２のスリット５３，５４に通し、これら第１および第２紐保持部５１，５２の間、すなわち縦中心線Ｐ−Ｐ近傍で結ぶ。
【００２６】
以上のようなおむつ１によれば、ウエスト紐４０は、第１紐部４１と第２紐部４２とを含むこととしたので、これら第１および第２紐部４１，４２を形成する内外側切断線４３，４４の後端４３ｂ，４４ｂからシャーシ後端縁２６までの離間距離を変えることによって、基端縁４５での第１および第２紐部４１，４２の接続位置が、縦方向Ｙにずれるように並ぶ。シャーシ後端縁２６から外側切断線４４の後端４４ｂまでの離間距離よりも、内側切断線４３の後端４３ｂまでの離間距離の方を長くしたので、外側切断線４４で形成される第２紐部４２が、内側切断線４３で形成される第１紐部４１よりも実質的に長くなる。しかも、外側切断線４４の方が後端縁２６に対して深く切りこみが入ることになり、おむつ１を着用した際には、第２紐部４２が第１紐部４１よりもシャーシ後端縁２６側に位置するようになる。
【００２７】
おむつ１の着用時において、第２紐部４２がシャーシ後端縁２６側に位置し、第１紐部４１が第２紐部４２よりもシャーシ前端縁２７側に位置することによって、第２紐部４２で着用者の臍に近い位置を締め付け、第１紐部４１で着用者の脚の付け根に近い部分を締め付けることができる。このように、縦方向Ｙの上下に相違する二箇所でおむつ１を着用者に対して締め付けることができるので、特におむつ１が縦方向Ｙにずれるのを抑制することができる。したがって、排尿等によってクロッチ域７が重くなり、おむつ１が縦方向Ｙの下方に移動しようとした場合であっても、この移動を抑制することができる。おむつ１が下方に移動するのを抑制することができるので、おむつ１と着用者の鼠蹊部とに隙間が形成されるのを防止することができ、この隙間からの尿等の漏れを抑制することができる。
【００２８】
また、第１および第２紐部４１，４２によって、着用者に対して縦方向Ｙに広い領域で締め付けることができるので、その分広い面積でおむつ１を着用者に密着させることができ、尿等の漏れを防止することができる。特に、幼児は成長が早く、以前のサイズのおむつがすぐに小さくなってしまうということがあるが、第１および第２紐部４１，４２を設けることによって、縦方向Ｙにおけるサイズ調整が可能となる。また、体の大きな着用者に対しておむつ１を着用させる場合であっても、広い領域で前後ウエスト域５，６を着用者に密着させることが可能となる。ウエスト紐４０の縦方向Ｙの上方に位置する第２紐部４２は、着用者に対する密着および、鼠蹊部における隙間形成の防止を考慮すれば、着用者のウエスト近傍に位置し、下方に位置する第１紐部４１は、着用者の脚の付け根の近傍に位置することが望ましい。
【００２９】
ウエスト紐４０を第１および第２紐保持部５１，５２で保持することとしたので、排尿等によってシャーシ２０のクロッチ域７が重たくなったような場合であっても、ウエスト紐４０でシャーシ２０が縦方向Ｙに下がるのを抑制することができる。したがって、おむつ１のクロッチ域７のシャーシ側縁２３，２４と着用者の鼠蹊部との間に隙間が生じ難く、脚回りからの尿漏れ等をより一層抑制することができる。
しかも、クロッチ域７のシャーシ側縁２３，２４には、レッグ弾性部材２７が取り付けられているので、クロッチ域７のシャーシ側縁２３，２４は着用者の鼠蹊部との隙間を解消することができる。
【００３０】
第１および第２紐部４１，４２は、第１および第２紐弾性部材４７，４８によって長手方向に弾性化されているので、第１および第２紐部４１，４２を長手方向に引っ張りながら結ぶことによって、第１および第２紐部４１，４２の収縮によって前後ウエスト域５，６を着用者に密着させることができる。また、第１および第２紐部４１，４２を弾性化することによって、着用者のウエストの変化に第１および第２紐部４１，４２が追従することができる。すなわち、特に幼児の場合には、食事の前後でウエストの大きさが変化するが、これによっておむつが苦しくなったり、緩くなったりするのを抑制することができる。
【００３１】
第１および第２紐保持部５１，５２を前ウエスト域５の着衣側に位置する外面シート２２に形成することとしたので、第１および第２紐部４１，４２が直接肌に触れることがない。したがって、弾性化によって第１および第２紐部４１，４２に皺が発生した場合であっても、この皺によって肌に刺激を与えるのを抑制することができる。第１および第２紐保持部５１，５２を吸液構造体３０と重なる位置関係にし、ウエスト紐４０を通したときに、これらウエスト紐４０の身体側に吸液構造体３０が位置することとしたので、吸液構造体３０の剛性によって、ウエスト紐４０の身体に対する締め付けを緩和することができる。したがって、ウエスト紐をきつめに結んだ場合であっても、肌に対する刺激を低減することができ、皺による刺激も低減することができる。
【００３２】
ウエスト紐４０の第１および第２紐部４１，４２を弾性化することによって、第１および第２紐部４１，４２に皺が生じた場合には、この皺によって第１および第２紐保持部５１，５２にウエスト紐４０が引っかかり、ウエスト紐４０の第１および第２紐保持部５１，５２からの抜けを防止することができる。第１および第２紐保持部５１，５２を縦中心線Ｐ−Ｐに対して離間対向するようにしているので、これら横方向Ｘの外側から内側へとウエスト紐４０を通した場合には、これらウエスト紐４０の結び目は、第１および第２紐保持部５１，５２の間、すなわち、縦中心線Ｐ−Ｐの近傍に位置することになる。このように縦中心線Ｐ−Ｐの近傍に結び目が来るようにすることによって、一対のウエスト紐４０を均等に引っ張ることができ、いずれか一方の紐が強く引っ張られるのを防止することができる。いずれか一方のみが強く引っ張られたときには、弾性部材の伸長応力が大きくなり、一方の締め付け力が強くなってしまい、肌に対する刺激や違和感が大きくなる。
【００３３】
ウエスト紐４０の自由端縁４６には、第１および第２紐弾性部材４７，４８の弾性力を作用させないようにしているので、自由端縁４６に第１および第２紐弾性部材４７，４８によって皺が発生することがない。自由端縁４６に皺が発生しないので、この自由端縁４６を指でつまみやすく、しかも、第１および第２紐保持部５１，５２に通しやすい。また、この自由端縁４６に硬化部を形成することによって、より一層つまみやすく、しかも第１および第２紐保持部５１，５２を通しやすくすることができる。自由端縁４６をつまみやすくすることによって、お年寄りや子供などの細かい作業が苦手な着用者であっても、自分で容易に着用することができる。硬化部の形成としては、自由端縁４６に接着剤を塗布して硬化させたり、熱溶融によって硬化させたり、他のシート等を貼り付けることによって硬化させたりすることが考えられる。
【００３４】
ウエスト紐４０の自由端縁４６に前記硬化部を形成した場合には、その端縁４６に沿って柔軟部をさらに形成することができる。例えば、ウエスト紐４０を繊維不織布で形成した場合には、柔軟部を繊維が毛羽立つようにすることによって形成することができる。このように柔軟部を形成することによって、ウエスト紐４０が着用者の肌に接触したような場合であっても、肌トラブルを抑制することができる。
【００３５】
第１および第２紐部４１，４２は、シャーシ２０を形成する外面シート２２を内外側切断線４３，４４で切断するだけで形成することができ、しかも基端縁４５において第１および第２紐４１，４２を後ウエスト域６に接合することができるので、他の紐を別途接合手段を用いてシャーシ２０に取り付けるのに比べて製造が容易である。しかも、シャーシ２０の縦方向Ｙをシャーシ２０の製造工程における機械方向としておむつ１を製造した場合には、機械方向と同方向で内外側切断線４３，４４が形成され、かつ、機械方向と各弾性部材の伸長方向とが一致する。すなわち、これらすべての作業が同方向で行うことができるので、おむつ１の製造が容易かつ安価で行うことができる。
また、外面シート２２を形成する繊維不織布は、その構成繊維の配向割合が横方向Ｘよりも縦方向Ｙにおいて高いものが好ましい。外面シート２２として前記繊維不織布に替えて、プラスチックフィルムまたはこれと前記繊維不織布とのラミネートシートを用いることもできるが、この場合、プラスチックフィルムは、その分子の配向割合が横方向Ｘよりも縦方向Ｙにおいて高いものが好ましい。前記繊維および分子の配向が、内外側切断線４３，４４に沿って外面シート２２を切断する方向と一致することで、その切断操作が容易となるからである。
【００３６】
第１および第２紐部４１，４２は、外面シート２２を内外側切断線４３，４４で切断して形成することとしているが、内外側切断線４３，４４で完全に切断するものだけでなく、内外側切断線４３，４４に沿ってミシン目を入れるようにしてもよい。ミシン目を入れて、完全に第１および第２紐部４１，４２がシャーシ２０から切り離されないようにすることによって、おむつ１の製造時に第１および第２紐部４１，４２が製造装置に絡まったりするのを防止することができる。このように内外側切断線４３，４４にミシン目を形成した場合には、おむつ１の着用時にミシン目を裂いて使用する。
【００３７】
ウエスト紐４０は、第１および第２紐部４１，４２の二本の紐部によって形成しているが、これが三本以上の紐部によって形成されることとしてもよい。その場合には、第１および第２紐部４１，４２を形成する内外側切断線４３，４４が三本以上となる。また、外側切断線４４は、シャーシ前端縁２５には接触することなく、自由端縁４６において第１紐部４１と第２紐部４２とが切断されずに一体化することとしているが、これらが切断されるようにしてもよい。ただし、第１紐部４１と第２紐部４２との自由端縁４６が、切断されずに一体化されることによって、ウエスト紐４０を第１および第２紐保持部５１，５２に通しやすくすることができる。第１および第２紐部４１，４２の自由端縁４６が切断されて別々になっている場合には、これらを別途接合手段を用いることによって一体化することもできる。これら自由端縁４６を接合手段を用いて接合する場合には、必ずしも、これらが完全に一致するように接合される必要はなく、多少ずれて接合されたり、その一部が接合されたりしてもよく、第１および第２紐部４１，４２を一緒に第１および第２紐保持部５１，５２に通すことが可能となればよい。
【００３８】
上記実施形態では、第１および第２紐保持部５１，５２を外面シート２２に形成したスリット５３，５４によって構成することとしているが、これに限ったものではなく、外面シート２２とは別のシートや紐等によってループを形成し、第１および第２紐部４１，４２を保持可能とすることもできる。また、外面シート２２と第１および第２紐部４１，４２の一方にフックを形成し、他方にループを形成し、これらファスニング手段によって第１および第２紐保持部を形成するようにしてもよい。ただし、第１および第２紐保持部５１，５２のようにスリット５３，５４を形成することによって、別途他の部材を必要とすることがないので、その分コストの低減を図ることができる。
【００３９】
第１および第２紐部４１，４２は、それぞれに紐弾性部材を取り付けているが、いずれかひとつの紐部が弾性化されるようにしてもよい。また、第１および第２紐部４１，４２を弾性化するために、ゴム紐等の弾性部材を用いているが、伸縮性のシート等、他の一般的な手法を用いることができる。同様に、シャーシ２０の両側縁を弾性化するために伸縮性のシート等、他の一般的な手法を用いることができる。
【００４０】
第１ウエスト域に後ウエスト域６が対応し、第２ウエスト域に前ウエスト域５が対応するようにしているが、これが反対になってもよい。
【００４１】
＜第２の実施形態＞
図４は、この発明の第２の実施形態を示したものである。この第２の実施形態では、シャーシ２０に形成された内外側切断線４９，５０の後端縁４９ｂ，５０ｂの位置が、第１の実施形態と異なるものである。第１の実施形態と同様の構成要素については、その詳細な説明を省略し、同じ符号を用いる。
【００４２】
内側切断線４９の前端４９ａは、シャーシ前端縁２５まで延び、後端４９ｂは、吸液後端縁３７よりも前端縁３６側に位置している。外側切断線５０の前端５０ａは、シャーシ前端縁２５からは離間し、後端５０ｂは、吸液後端縁３７よりも前端縁３６側に位置している。すなわち、後端４９ｂおよび５０ｂは、それぞれ吸液構造体３０と横方向Ｘにおいて重なるように形成している。ただし、後端４９ｂおよび５０ｂは、横中心線Ｑ−Ｑよりも、シャーシ後端縁２６側に位置させている。
【００４３】
内外側切断線４９，５０の後端４９ｂおよび５０ｂは、第１の実施形態と同様に、シャーシ後端縁２６からの離間距離が、内側切断線４９の後端４９ｂの方が、外側切断線５０の後端５０ｂよりも長くなるようにしている。すなわち、着用時においては、後端４９ｂの方が、後端５０ｂよりも縦方向Ｙの下方に位置するようにしている。このように内外側切断線４９，５０を形成することによって、第１および第２紐部４１，４２を形成している。
【００４４】
このようなおむつ１において、第１および第２紐部４１，４２は、第１の実施形態に比べて縦方向Ｙのより下方、すなわち、クロッチ域７側で接続されることになる。また、第１および第２紐部４１，４２を形成する内外側切断線４９，５０は、横方向Ｘにおいて吸液構造体３０に重なるように形成されている。すなわち、第１および第２紐部４１，４２の接続位置が、横方向Ｘにおいて吸液構造体３０に重なる。したがって、おむつ１を着用し、第１および第２紐４１，４２を着用者のウエストで結んだときには、吸液構造体３０を確実に着用者へと密着させることができる。
【００４５】
第１および第２紐部４１，４２は、第１および第２紐保持部５１，５２の身体側において通過させ、これらを互いに結ぶ。第１および第２紐部４１，４２は、吸液構造体３０に近い位置で後ウエスト域６に接続されているから、第１および第２紐部４１，４２を第１および第２紐保持部５１，５２に通すことによって、おむつ１を吸液構造体３０に近い位置で下がらないように保持することができる。すなわち、吸液構造体３０を縦方向Ｙのより高い位置で保持することができ、より一層着用者の鼠蹊部とおむつ１の隙間を防止し、この隙間からの尿漏れ等を抑制することができる。
【図面の簡単な説明】
【００４６】
【図１】おむつの着用状態の斜視図。
【図２】おむつの展開図。
【図３】図２のＩＩＩ−ＩＩＩ線断面図。
【図４】第２の実施形態を示した図２と同様の図。
【符号の説明】
【００４７】
１    おむつ（着用物品）
５    前ウエスト域（第２ウエスト域）
６    後ウエスト域（第１ウエスト域）
７    クロッチ域
２０    シャーシ
２３    シャーシ側縁
２４    シャーシ側縁
２５    シャーシ前端縁（第２端縁）
２６    シャーシ後端縁（第１端縁）
２７    レッグ弾性部材
３０    吸液構造体
４０    ウエスト紐
４１    第１紐部
４２    第２紐部
４３    内側切断線
４４    外側切断線
４５    基端縁
４６    自由端縁
４７    第１紐弾性部材
４８    第２紐弾性部材
４９    内側切断線
５０    外側切断線
５１    第１紐保持部
５２    第２紐保持部
【図１】
2010051600.tif 000003
【図２】
2010051600.tif 000004
【図３】
2010051600.tif 000005
【図４】
2010051600.tif 000006